(57)【要約】【課題】ドライバが見る車窓の景色から容易に理解できること。【解決手段】地図情報と車両の現在位置情報とを用いて経路案内を出力する経路案内装置１０であって、撮影カメラ２は、車両の周辺の画像データを取得し、経路案内情報抽出部１１０は、画像データから経路案内の指標として使用可能な情報要素である経路案内情報要素を抽出し、経路案内処理部１２０ｂは、経路案内情報要素から経路案内に使用する情報である経路案内情報を作成し、経路案内情報を音声合成、文字表示および画像合成して経路案内を出力する。【選択図】        図１
2005249504.tif 000002
【特許請求の範囲】
【請求項１】
地図情報と車両の現在位置情報とを用いて経路案内を出力する経路案内装置であって、
前記車両の周辺の画像データを取得する画像データ取得手段と、
前記画像データから経路案内の指標として使用可能な情報要素である経路案内情報要素を抽出する経路案内情報抽出手段と、
前記経路案内情報要素から前記経路案内に使用する情報である経路案内情報を作成し、該経路案内情報を用いて前記経路案内を出力する経路案内手段と、
を備えたことを特徴とする経路案内装置。
【請求項２】
前記画像データから識別すべき対象物と該対象物に関する画像パターンデータ、形状パターンデータ、色パターンデータおよび移動パターンデータとを関連付けて記憶する画像認識データベース記憶手段を、さらに備え、
前記経路案内情報抽出手段は、前記画像認識データベース記憶手段を用いて前記画像データから構造物、道路案内標識、交通信号、電光掲示板、看板、車両のいずれか一つを少なくとも含む前記対象物を識別し、識別した対象物から名称、形状、色、移動方向のいずれか一つを少なくとも含む前記経路案内情報要素を抽出することを特徴とする請求項１に記載の経路案内装置。
【請求項３】
前記車両の周囲の明暗、天候を判定する周囲状況判定手段と、
前記画像データ取得手段によって取得された画像データに対してコントラスト処理、鮮明化処理のいずれか一つを少なくとも含む画像処理を施す画像処理手段と、
前記周囲状況判定手段によって判定された車両の周囲の明暗、天候に応じて前記画像処理手段によって前記画像データに対して施される画像処理を切替える画像処理切替手段と、をさらに備えることを特徴とする請求項１に記載の経路案内装置。
【請求項４】
前記周囲状況判定手段は、照明装置のＯＮ／ＯＦＦ情報、ワイパ装置のＯＮ／ＯＦＦ情報、前記画像データ、光センサのセンサ出力、濡れセンサのセンサ出力、タイマの時刻のいずれか一つを少なくとも使用して前記車両の周囲の明暗、天候を判定することを特徴とする請求項３に記載の経路案内装置。
【請求項５】
文字、記号、数字をそれぞれ文字パターンデータ、記号パターンデータ、数字パターンデータと関連付けて記憶する文字認識データベース記憶手段と、
前記文字認識データベース記憶手段を用いて前記画像データから前記文字、記号、数字のいずれか一つを少なくとも抽出する文字認識手段と、
をさらに備え、
前記経路案内情報抽出手段は、前記文字認識手段および前記文字認識データベース記憶手段を用いて前記画像データから前記文字、記号、数字のいずれか一つを少なくとも抽出することを特徴とする請求項１に記載の経路案内装置。
【請求項６】
前記経路案内情報から音声合成データを作成する音声合成手段をさらに備え、
前記経路案内手段は、前記音声合成手段を用いて前記経路案内情報から音声合成データを作成して経路案内を出力するよう制御することを特徴とする請求項１に記載の経路案内装置。
【請求項７】
前記経路案内手段は、前記経路案内情報を文字表示して経路案内を出力するよう制御することを特徴とする請求項１に記載の経路案内装置。
【請求項８】
前記画像処理手段によって画像処理を施された画像データと前記経路案内手段によって作成された経路案内情報を画像合成する画像合成手段をさらに備え、
前記経路案内手段は、前記画像合成手段によって画像合成された画像データと経路案内情報を画像表示して経路案内を出力するよう制御することを特徴とする請求項１に記載の経路案内装置。
【請求項９】
地図情報と車両の現在位置情報とを用いて経路案内を出力する経路案内装置に用いられる経路案内方法であって、
前記車両の周辺の画像データを取得する画像データ取得工程と、
前記画像データから経路案内の指標として使用可能な情報要素である経路案内情報要素を抽出する経路案内情報抽出工程と、
前記経路案内情報要素から前記経路案内に使用する情報である経路案内情報を作成し、該経路案内情報を用いて前記経路案内を出力する経路案内工程と、
を含んだことを特徴とする経路案内方法。
【請求項１０】
前記画像データから識別すべき対象物と該対象物に関する画像パターンデータ、形状パターンデータ、色パターンデータおよび移動パターンデータとを関連付けて記憶する画像認識データベースを生成する画像認識データベース生成工程を、さらに含み、
前記経路案内情報抽出工程は、前記画像認識データベース生成工程によって生成された画像認識データベースを用いて前記画像データから構造物、道路案内標識、交通信号、電光掲示板、看板、車両のいずれか一つを少なくとも含む前記対象物を識別し、識別した対象物から名称、形状、色、移動方向のいずれか一つを少なくとも含む前記経路案内情報要素を抽出することを特徴とする請求項９に記載の経路案内方法。
【請求項１１】
前記車両の周囲の明暗、天候を判定する周囲状況判定工程と、
前記画像データ取得工程によって取得された画像データに対してコントラスト処理、鮮明化処理のいずれか一つを少なくとも含む画像処理を施す画像処理工程と、
前記周囲状況判定工程によって判定された車両の周囲の明暗、天候に応じて前記画像処理工程によって前記画像データに対して施される画像処理を切替える画像処理切替工程と、をさらに含むことを特徴とする請求項９に記載の経路案内方法。
【請求項１２】
前記周囲状況判定工程は、照明装置のＯＮ／ＯＦＦ情報、ワイパ装置のＯＮ／ＯＦＦ情報、前記画像データ、光センサのセンサ出力、濡れセンサのセンサ出力、タイマの時刻のいずれか一つを少なくとも使用して前記車両の周囲の明暗、天候を判定することを特徴とする請求項１１に記載の経路案内方法。
【請求項１３】
地図情報と車両の現在位置情報とを用いて経路案内を出力する経路案内装置に用いられる経路案内プログラムであって、
前記車両の周辺の画像データを取得する画像データ取得手順と、
前記画像データから経路案内の指標として使用可能な情報要素である経路案内情報要素を抽出する経路案内情報抽出手順と、
前記経路案内情報要素から前記経路案内に使用する情報である経路案内情報を作成し、該経路案内情報を用いて前記経路案内を出力する経路案内手順と、
をコンピュータに実行させることを特徴とする経路案内プログラム。
【発明の詳細な説明】
【技術分野】
【０００１】
この発明は、経路案内装置、経路案内方法および経路案内プログラムに関し、特に、ドライバが見る車窓の景色から容易に理解できる経路案内装置、経路案内方法および経路案内プログラムに関するものである。
【背景技術】
【０００２】
従来、地図情報と車両の現在位置情報を用いて経路案内をする経路案内装置が知られている。かかる経路案内装置においては、地図画像に基づく経路案内は、車両の現在位置を大局的に把握するには役立つが、複雑な交差点や入り組んだ進入道路などの経路案内には役に立たないことがしばしばある。これは、地図画像に基づく経路案内とドライバが車窓から見る景色が乖離しているからである。そこで、車両に搭載されたカメラによって撮影された画像データを用いた経路案内に関する従来技術が開示されている。例えば、特許文献１では、車両の先端に搭載したカメラによって撮影された画像データと経路案内情報を画像合成し、経路案内を出力する従来技術が開示されている。
【０００３】
【特許文献１】特開平１１−１０８６８４号公報
【発明の開示】
【発明が解決しようとする課題】
【０００４】
特許文献１の従来技術では、車両の先端に搭載したカメラによって撮影された画像データと経路案内情報を画像合成し、経路案内を出力することができるが、ドライバが見る車窓の景色から容易に理解できないことがあるという課題があった。例えば、特許文献１の従来技術のように画像データと車両の進行方向を矢印で示す経路案内情報を画像合成して表示しても、交差点が三叉路である場合、進入道路が複数で入り組んでいる場合は、矢印がどの進入道路を示しているのか識別できない場合がある。また、夜間走行時および／または雨天走行時のように画像データが鮮明でない場合は、矢印の示す進入道路を識別できない場合がある。
【０００５】
この発明は、上述した従来技術による問題点を解消するためになされたものであり、ドライバが見る車窓の景色から容易に理解できる経路案内装置、経路案内方法および経路案内プログラムを提供することを目的とする。
【課題を解決するための手段】
【０００６】
上述した課題を解決し、目的を達成するため、請求項１の発明に係る経路案内装置は、地図情報と車両の現在位置情報とを用いて経路案内を出力する経路案内装置であって、前記車両の周辺の画像データを取得する画像データ取得手段と、前記画像データから経路案内の指標として使用可能な情報要素である経路案内情報要素を抽出する経路案内情報抽出手段と、前記経路案内情報要素から前記経路案内に使用する情報である経路案内情報を作成し、該経路案内情報を用いて前記経路案内を出力する経路案内手段と、を備えたことを特徴とする。
【０００７】
この請求項１の発明によれば、車両の周辺の画像データを取得し、画像データから経路案内の指標として使用可能な情報要素である経路案内情報要素を抽出し、経路案内情報要素から経路案内に使用する情報である経路案内情報を作成し、経路案内情報を用いて経路案内を出力することとしたので、ドライバが見る車窓の景色から容易に理解できる。
【０００８】
また、請求項２の発明に係る経路案内装置は、請求項１の発明において、前記画像データから識別すべき対象物と該対象物に関する画像パターンデータ、形状パターンデータ、色パターンデータおよび移動パターンデータとを関連付けて記憶する画像認識データベース記憶手段を、さらに備え、前記経路案内情報抽出手段は、前記画像認識データベース記憶手段を用いて前記画像データから構造物、道路案内標識、交通信号、電光掲示板、看板、車両のいずれか一つを少なくとも含む前記対象物を識別し、識別した対象物から名称、形状、色、移動方向のいずれか一つを少なくとも含む前記経路案内情報要素を抽出することを特徴とする。
【０００９】
この請求項２の発明によれば、画像データから識別すべき対象物と対象物に関する画像パターンデータ、形状パターンデータ、色パターンデータおよび移動パターンデータとを関連付けて記憶し、画像データから構造物、道路案内標識、交通信号、電光掲示板、看板、車両のいずれか一つを少なくとも含む対象物を識別し、識別した対象物から名称、形状、色、移動方向のいずれか一つを少なくとも含む経路案内情報要素を抽出することとしたので、ドライバが見る車窓の景色から容易に理解できる。
【００１０】
また、請求項３の発明に係る経路案内装置は、請求項１の発明において、前記車両の周囲の明暗、天候を判定する周囲状況判定手段と、前記画像データ取得手段によって取得された画像データに対してコントラスト処理、鮮明化処理のいずれか一つを少なくとも含む画像処理を施す画像処理手段と、前記周囲状況判定手段によって判定された車両の周囲の明暗、天候に応じて前記画像処理手段によって前記画像データに対して施される画像処理を切替える画像処理切替手段と、をさらに備えることを特徴とする。
【００１１】
この請求項３の発明によれば、車両の周囲の明暗、天候を判定し、画像データに対してコントラスト処理、鮮明化処理のいずれか一つを少なくとも含む画像処理を施し、車両の周囲の明暗、天候に応じて画像データに対して施される画像処理を切替えることとしたので、夜間走行時および／または雨天走行時のように画像データが鮮明でない場合でもドライバが見る車窓の景色から容易に理解できる。
【００１２】
また、請求項４の発明に係る経路案内装置は、請求項３の発明において、前記周囲状況判定手段は、照明装置のＯＮ／ＯＦＦ情報、ワイパ装置のＯＮ／ＯＦＦ情報、前記画像データ、光センサのセンサ出力、濡れセンサのセンサ出力、タイマの時刻のいずれか一つを少なくとも使用して前記車両の周囲の明暗、天候を判定することを特徴とする。
【００１３】
この請求項４の発明によれば、照明装置のＯＮ／ＯＦＦ情報、ワイパ装置のＯＮ／ＯＦＦ情報、画像データ、光センサのセンサ出力、濡れセンサのセンサ出力、タイマの時刻のいずれか一つを少なくとも使用して車両の周囲の明暗、天候を判定することとしたので、車両の周囲の明暗、天候を容易に判定することができ、もって夜間走行時および／または雨天走行時のように画像データが鮮明でない場合でもドライバが見る車窓の景色から容易に理解できる。
【００１４】
また、請求項５の発明に係る経路案内装置は、請求項１の発明において、文字、記号、数字をそれぞれ文字パターンデータ、記号パターンデータ、数字パターンデータと関連付けて記憶する文字認識データベース記憶手段と、前記文字認識データベース記憶手段を用いて前記画像データから前記文字、記号、数字のいずれか一つを少なくとも抽出する文字認識手段と、をさらに備え、前記経路案内情報抽出手段は、前記文字認識手段および前記文字認識データベース記憶手段を用いて前記画像データから前記文字、記号、数字のいずれか一つを少なくとも抽出することを特徴とする。
【００１５】
この請求項５の発明によれば、文字、記号、数字をそれぞれ文字パターンデータ、記号パターンデータ、数字パターンデータと関連付けて記憶し、画像データから文字、記号、数字のいずれか一つを少なくとも抽出し、画像データから文字、記号、数字のいずれか一つを少なくとも抽出することとしたので、ドライバが見る車窓の景色から容易に理解できる経路案内情報要素を抽出することができる。
【００１６】
また、請求項６の発明に係る経路案内装置は、請求項１の発明において、前記経路案内情報から音声合成データを作成する音声合成手段をさらに備え、前記経路案内手段は、前記音声合成手段を用いて前記経路案内情報から音声合成データを作成して経路案内を出力するよう制御することを特徴とする。
【００１７】
この請求項６の発明によれば、経路案内情報から音声合成データを作成し、経路案内情報から音声合成データを作成して経路案内を出力するよう制御することとしたので、ドライバが見る車窓の景色から容易に理解できる。
【００１８】
また、請求項７の発明に係る経路案内装置は、請求項１の発明において、前記経路案内手段は、前記経路案内情報を文字表示して経路案内を出力するよう制御することを特徴とする。
【００１９】
この請求項７の発明によれば、経路案内情報を文字表示して経路案内を出力するよう制御することとしたので、ドライバが見る車窓の景色から容易に理解できる。
【００２０】
また、請求項８の発明に係る経路案内装置は、請求項１の発明において、前記画像処理手段によって画像処理を施された画像データと前記経路案内手段によって作成された経路案内情報を画像合成する画像合成手段をさらに備え、前記経路案内手段は、前記画像合成手段によって画像合成された画像データと経路案内情報を画像表示して経路案内を出力するよう制御することを特徴とする。
【００２１】
この請求項８の発明によれば、画像処理を施された画像データと経路案内情報を画像合成し、画像合成された画像データと経路案内情報を画像表示して経路案内を出力することとしたので、ドライバが見る車窓の景色から容易に理解できる。
【００２２】
また、請求項９の発明に係る経路案内方法は、地図情報と車両の現在位置情報とを用いて経路案内を出力する経路案内装置に用いられる経路案内方法であって、前記車両の周辺の画像データを取得する画像データ取得工程と、前記画像データから経路案内の指標として使用可能な情報要素である経路案内情報要素を抽出する経路案内情報抽出工程と、前記経路案内情報要素から前記経路案内に使用する情報である経路案内情報を作成し、該経路案内情報を用いて前記経路案内を出力する経路案内工程と、を含んだことを特徴とする。
【００２３】
この請求項９の発明によれば、車両の周辺の画像データを取得し、画像データから経路案内の指標として使用可能な情報要素である経路案内情報要素を抽出し、経路案内情報要素から経路案内に使用する情報である経路案内情報を作成し、経路案内情報を用いて経路案内を出力することとしたので、ドライバが見る車窓の景色から容易に理解できる。
【００２４】
また、請求項１０の発明に係る経路案内方法は、請求項９の発明において、前記画像データから識別すべき対象物と該対象物に関する画像パターンデータ、形状パターンデータ、色パターンデータおよび移動パターンデータとを関連付けて記憶する画像認識データベースを生成する画像認識データベース生成工程を、さらに含み、前記経路案内情報抽出工程は、前記画像認識データベース生成工程によって生成された画像認識データベースを用いて前記画像データから構造物、道路案内標識、交通信号、電光掲示板、看板、車両のいずれか一つを少なくとも含む前記対象物を識別し、識別した対象物から名称、形状、色、移動方向のいずれか一つを少なくとも含む前記経路案内情報要素を抽出することを特徴とする。
【００２５】
この請求項１０の発明によれば、画像データから識別すべき対象物と対象物に関する画像パターンデータ、形状パターンデータ、色パターンデータおよび移動パターンデータとを関連付けて記憶する画像認識データベースを生成し、画像認識データベースを用いて画像データから構造物、道路案内標識、交通信号、電光掲示板、看板、車両のいずれか一つを少なくとも含む対象物を識別し、識別した対象物から名称、形状、色、移動方向のいずれか一つを少なくとも含む経路案内情報要素を抽出することとしたので、ドライバが見る車窓の景色から容易に理解できる。
【００２６】
また、請求項１１の発明に係る経路案内方法は、請求項９の発明において、前記車両の周囲の明暗、天候を判定する周囲状況判定工程と、前記画像データ取得工程によって取得された画像データに対してコントラスト処理、鮮明化処理のいずれか一つを少なくとも含む画像処理を施す画像処理工程と、前記周囲状況判定工程によって判定された車両の周囲の明暗、天候に応じて前記画像処理工程によって前記画像データに対して施される画像処理を切替える画像処理切替工程と、をさらに含むことを特徴とする。
【００２７】
この請求項１１の発明によれば、車両の周囲の明暗、天候を判定し、画像データに対してコントラスト処理、鮮明化処理のいずれか一つを少なくとも含む画像処理を施し、車両の周囲の明暗、天候に応じて画像データに対して施される画像処理を切替えることとしたので、夜間走行時および／または雨天走行時のように画像データが鮮明でない場合でもドライバが見る車窓の景色から容易に理解できる。
【００２８】
また、請求項１２の発明に係る経路案内方法は、請求項１１の発明において、前記周囲状況判定工程は、照明装置のＯＮ／ＯＦＦ情報、ワイパ装置のＯＮ／ＯＦＦ情報、前記画像データ、光センサのセンサ出力、濡れセンサのセンサ出力、タイマの時刻のいずれか一つを少なくとも使用して前記車両の周囲の明暗、天候を判定することを特徴とする。
【００２９】
この請求項１２の発明によれば、照明装置のＯＮ／ＯＦＦ情報、ワイパ装置のＯＮ／ＯＦＦ情報、画像データ、光センサのセンサ出力、濡れセンサのセンサ出力、タイマの時刻のいずれか一つを少なくとも使用して車両の周囲の明暗、天候を判定することとしたので、車両の周囲の明暗、天候を容易に判定することができ、もって夜間走行時および／または雨天走行時のように画像データが鮮明でない場合でもドライバが見る車窓の景色から容易に理解できる。
【００３０】
また、請求項１３の発明に係る経路案内プログラムは、地図情報と車両の現在位置情報とを用いて経路案内を出力する経路案内装置に用いられる経路案内プログラムであって、前記車両の周辺の画像データを取得する画像データ取得手順と、前記画像データから経路案内の指標として使用可能な情報要素である経路案内情報要素を抽出する経路案内情報抽出手順と、前記経路案内情報要素から前記経路案内に使用する情報である経路案内情報を作成し、該経路案内情報を用いて前記経路案内を出力する経路案内手順と、をコンピュータに実行させることを特徴とする。
【００３１】
この請求項１３の発明によれば、車両の周辺の画像データを取得し、画像データから経路案内の指標として使用可能な情報要素である経路案内情報要素を抽出し、経路案内情報要素から経路案内に使用する情報である経路案内情報を作成し、経路案内情報を用いて経路案内を出力することとしたので、ドライバが見る車窓の景色から容易に理解できる。
【発明の効果】
【００３２】
請求項１の発明によれば、車両の周辺の画像データを取得し、画像データから経路案内の指標として使用可能な情報要素である経路案内情報要素を抽出し、経路案内情報要素から経路案内に使用する情報である経路案内情報を作成し、経路案内情報を用いて経路案内を出力するよう構成したので、ドライバが見る車窓の景色から容易に理解できるという効果を奏する。
【００３３】
また、請求項２の発明によれば、画像データから識別すべき対象物と対象物に関する画像パターンデータ、形状パターンデータ、色パターンデータおよび移動パターンデータとを関連付けて記憶し、画像データから構造物、道路案内標識、交通信号、電光掲示板、看板、車両のいずれか一つを少なくとも含む対象物を識別し、識別した対象物から名称、形状、色、移動方向のいずれか一つを少なくとも含む経路案内情報要素を抽出するよう構成したので、ドライバが見る車窓の景色から容易に理解できるという効果を奏する。
【００３４】
また、請求項３の発明によれば、車両の周囲の明暗、天候を判定し、画像データに対してコントラスト処理、鮮明化処理のいずれか一つを少なくとも含む画像処理を施し、車両の周囲の明暗、天候に応じて画像データに対して施される画像処理を切替えるよう構成したので、夜間走行時および／または雨天走行時のように画像データが鮮明でない場合でもドライバが見る車窓の景色から容易に理解できるという効果を奏する。
【００３５】
また、請求項４の発明によれば、照明装置のＯＮ／ＯＦＦ情報、ワイパ装置のＯＮ／ＯＦＦ情報、画像データ、光センサのセンサ出力、濡れセンサのセンサ出力、タイマの時刻のいずれか一つを少なくとも使用して車両の周囲の明暗、天候を判定するよう構成したので、車両の周囲の明暗、天候を容易に判定することができ、もって夜間走行時および／または雨天走行時のように画像データが鮮明でない場合でもドライバが見る車窓の景色から容易に理解できるという効果を奏する。
【００３６】
また、請求項５の発明によれば、文字、記号、数字をそれぞれ文字パターンデータ、記号パターンデータ、数字パターンデータと関連付けて記憶し、画像データから文字、記号、数字のいずれか一つを少なくとも抽出し、画像データから文字、記号、数字のいずれか一つを少なくとも抽出するよう構成したので、ドライバが見る車窓の景色から容易に理解できる経路案内情報要素を抽出することができるという効果を奏する。
【００３７】
また、請求項６の発明によれば、経路案内情報から音声合成データを作成して経路案内を出力するよう制御するよう構成したので、ドライバが見る車窓の景色から容易に理解できるという効果を奏する。
【００３８】
また、請求項７の発明によれば、経路案内情報を文字表示して経路案内を出力するよう制御するよう構成したので、ドライバが見る車窓の景色から容易に理解できるという効果を奏する。
【００３９】
また、請求項８の発明によれば、画像処理を施された画像データと経路案内情報を画像合成し、画像合成された画像データと経路案内情報を画像表示して経路案内を出力するよう構成したので、ドライバが見る車窓の景色から容易に理解できるという効果を奏する。
【００４０】
また、請求項９の発明によれば、車両の周辺の画像データを取得し、画像データから経路案内の指標として使用可能な情報要素である経路案内情報要素を抽出し、経路案内情報要素から経路案内に使用する情報である経路案内情報を作成し、経路案内情報を用いて経路案内を出力するよう構成したので、ドライバが見る車窓の景色から容易に理解できるという効果を奏する。
【００４１】
また、請求項１０の発明によれば、画像データから識別すべき対象物と対象物に関する画像パターンデータ、形状パターンデータ、色パターンデータおよび移動パターンデータとを関連付けて記憶する画像認識データベースを生成し、画像認識データベースを用いて画像データから構造物、道路案内標識、交通信号、電光掲示板、看板、車両のいずれか一つを少なくとも含む対象物を識別し、識別した対象物から名称、形状、色、移動方向のいずれか一つを少なくとも含む経路案内情報要素を抽出するよう構成したので、ドライバが見る車窓の景色から容易に理解できるという効果を奏する。
【００４２】
また、請求項１１の発明によれば、車両の周囲の明暗、天候を判定し、画像データに対してコントラスト処理、鮮明化処理のいずれか一つを少なくとも含む画像処理を施し、車両の周囲の明暗、天候に応じて画像データに対して施される画像処理を切替えるよう構成したので、夜間走行時および／または雨天走行時のように画像データが鮮明でない場合でもドライバが見る車窓の景色から容易に理解できるという効果を奏する。
【００４３】
また、請求項１２の発明によれば、照明装置のＯＮ／ＯＦＦ情報、ワイパ装置のＯＮ／ＯＦＦ情報、画像データ、光センサのセンサ出力、濡れセンサのセンサ出力、タイマの時刻のいずれか一つを少なくとも使用して車両の周囲の明暗、天候を判定するよう構成したので、車両の周囲の明暗、天候を容易に判定することができ、もって夜間走行時および／または雨天走行時のように画像データが鮮明でない場合でもドライバが見る車窓の景色から容易に理解できるという効果を奏する。
【００４４】
また、請求項１３の発明によれば、車両の周辺の画像データを取得し、画像データから経路案内の指標として使用可能な情報要素である経路案内情報要素を抽出し、経路案内情報要素から経路案内に使用する情報である経路案内情報を作成し、経路案内情報を用いて経路案内を出力するよう構成したので、ドライバが見る車窓の景色から容易に理解できるという効果を奏する。
【発明を実施するための最良の形態】
【００４５】
以下に添付図面を参照して、この発明に係る経路案内装置の好適な実施例を詳細に説明する。本実施例では、本発明に係る経路案内装置を実写映像を用いた経路案内システムに適用する。ここでは、（１）経路案内装置の概要と主要な特徴、（２）経路案内システムの構成、（３）コントラスト処理および鮮明化処理の具体例、（４）画像認識により抽出された経路案内情報要素の具体例、（５）実写映像による経路案内手順、（６）画像認識による経路案内情報要素の抽出手順の順番に説明する。
【００４６】
（１）経路案内装置の概要と主要な特徴
まず、本実施例に係る経路案内装置の概要と主要な特徴について説明する。図１は、本実施例に係る経路案内システムの構成を示す機能ブロック図である。同図に示すように、本実施例に係る経路案内装置１０は、概略的には、地図情報と車両の現在位置情報とを用いて経路案内を出力する装置であり、ドライバが見る車窓の景色から容易に理解できることを特徴とする。
【００４７】
特に、本実施例に係る経路案内装置１０は、撮影カメラ２が、車両の周囲の画像データを取得し、経路案内情報抽出部１１０は、撮影カメラ２によって取得された画像データから経路案内の指標として使用可能な情報要素である経路案内情報要素を抽出し、経路案内処理部１２０ｂは、経路案内情報要素から経路案内に使用する情報である経路案内情報を用いて経路案内を出力することとしたので、ドライバが見る車窓の景色から容易に理解できる。
【００４８】
（２）経路案内システムの構成
次に、図１を参照して、経路案内システムの構成について説明する。同図に示すように、経路案内装置システムは、撮影カメラ２、ＧＰＳ受信装置４、照明装置６、ワイパ装置８、経路案内装置１０を有する。
【００４９】
撮影カメラ２は、車両に搭載され、ドライバの目線に近い位置で車両の周囲を撮影する撮影装置である。また、ＧＰＳ受信装置４は、ＧＰＳ衛星から送信されるＧＰＳ信号を受信して、受信したＧＰＳ信号を復調して車両の現在位置情報を示す測位データを取得する受信装置である。また、照明装置６は、前照灯、霧灯などの照明灯、照明灯に電力を供給する電源、電源をＯＮ／ＯＦＦするスイッチを有する。また、ワイパ装置８は、車両のウインドシールドガラスに付着した雨、雪、露などを拭き取って視界を確保するワイパ、ワイパを駆動するワイパ駆動装置、ワイパ駆動装置をＯＮ／ＯＦＦするスイッチを有する。
【００５０】
経路案内装置１０は、地図情報と車両の現在位置情報を用いて経路案内を出力するナビゲーション装置であり、入力部１０１、画像表示部１０２、音声出力部１０３、記憶部１０４、カメラインタフェース部１０６、画像処理部１０８、経路案内情報抽出部１１０、画像合成部１１２、音声合成部１１４、ＧＰＳインタフェース部１１６、照明／ワイパ装置インタフェース部１１８、制御部１２０を有する。
【００５１】
入力部１０１は、ドライバの要求や指示を選択または入力する入力装置であり、具体的には、タッチペンやボタンなどである。また、画像表示部１０２は、画像合成部１１２によって合成された画像データと経路案内情報とを画像表示する画像表示装置であり、具体的には、ＬＣＤ（Ｌｉｑｕｉｄ  Ｃｒｙｓｔａｌ  Ｄｉｓｐｌａｙ）などである。また、音声出力部１０３は、音声合成部１１４によって音声合成された経路案内情報を音声出力する出力装置であり、具体的には、スピーカである。
【００５２】
記憶部１０４は、ＲＡＭ（Ｒａｎｄｏｍ  Ａｃｃｅｓｓ  Ｍｅｍｏｒｙ）などの記憶装置であり、地図データベース１０４ａ、画像認識データベース１０４ｂ、文字認識データベース１０４ｃ、テキストデータベース１０４ｄ、音声合成データベース１０４ｅを有する。
【００５３】
地図データベース１０４ａは、車両の周囲の地図データを記憶するデータベースである。また、画像認識データベース１０４ｂは、画像データから識別すべき対象物と対象物に関する画像パターンデータ、形状パターンデータ、色パターンデータおよび移動パターンデータとを関連付けて記憶するデータベースである。ここで、図１に示す記憶部１０４が記憶する画像認識データベース１０４ｂの一例について説明する。図２は、図１に示す記憶部１０４が記憶する画像認識データベース１０４ｂの一例を示す図である。
【００５４】
同図に示すように、画像認識データベース１０４ｂは、画像データから識別すべき対象物、すなわち建物Ａ１〜Ａ３、道路案内標識Ｂ１〜Ｂ３、交通信号Ｃ１〜Ｃ３、電光掲示板Ｄ１〜Ｄ３、看板Ｅ１〜Ｅ３、車両Ｆ１〜Ｆ３と対象物に関する名称、画像パターンデータ、形状パターンデータ、色パターンデータ、移動パターンデータとを関連付けて記憶している。建物２０１は、道路わきに建っているランドマークとなりうる構造物であり、建物２０１の名称、位置、形状、色などが経路案内情報要素として用いられる。また、道路案内標識２０２は、道路わきまたは道路の上方に設置された道路の行き先を文字表示した標識であり、道路案内標識２０２の位置、形状、色、道路案内標識２０２から読み取られる文字、記号、数字が経路案内情報要素として用いられる。なお、文字、記号、数字は、文字認識データベース１０４ｃを用いて抽出される。
【００５５】
交通信号２０３は、交差点などで車両に進行、徐行、停止を指示する信号装置であり、交通信号２０３の位置、信号の色が経路案内情報として用いられる。また、電光掲示板２０４は、車両速度、道路の渋滞情報などを表示する表示装置であり、電光掲示板２０４の位置、電光掲示板２０４から読み取られる文字、記号、数字が経路案内情報要素として用いられる。また、看板２０５は、道路わきに建っているコンビニエンスストア、ファストフード店などの登録商標が表示された看板であり、看板２０５の位置などが経路案内情報要素として用いられる。また、車両２０６は、前方を走行している車両であり、車両２０６の進行方向などが経路案内情報要素として用いられる。
【００５６】
図１の説明に戻ると、文字認識データベース１０４ｃは、文字、記号、数字をそれぞれ文字パターンデータ、記号パターンデータ、数字パターンデータと関連付けて記憶するデータベースであり、日本語の平仮名、片仮名、漢字、英語のアルファベット、記号、数字などのパターンデータを記憶するデータベースである。
【００５７】
テキストデータベース１０４ｄは、経路案内情報要素および前記経路案内情報とテキストに関する単語、文節および文とを関連付けて記憶するデータベースであり、例えば、画像認識した“建物”、“灰色”という経路案内情報要素を“建物”、“灰色”という単語、さらに“灰色の建物”という語句に置き換えるデータベースである。また、画像認識で取得した建物と道路との位置関係、地図情報から取得した進行方向などの経路案内情報要素から、例えば“灰色の建物の手前の道路を左折してください。”という経路案内情報を文法に従ってテキストに編集するデータベースである。また、音声合成データベース１０４ｅは、テキストとテキストに関する読み、アクセント位置および音声データとを関連付けて記憶するデータベースである。
【００５８】
カメラインタフェース部１０６は、撮影カメラ２から出力された画像信号をＡ／Ｄ変換した後、画像表示部１０２で表示可能な動画像形式の画像データに変換し、画像処理部１０８に出力するデータインタフェース処理部である。また、画像処理部１０８は、カメラインタフェース部１０６から画像データを取得し、取得した画像データにコントラスト処理、鮮明化処理のいずれか一つを少なくとも含む画像処理を施し、経路案内情報抽出部１１０に出力する処理部である。なお、画像処理部１０８によって施されたコントラスト処理および鮮明化処理については、別途詳細に説明する。
【００５９】
経路案内情報抽出部１１０は、画像処理部１０８によって画像処理された画像データから経路案内の指標として使用可能な情報要素である経路案内情報要素を抽出する処理部である。また、経路案内情報抽出部１１０は、画像認識データベース１０４ｂを用いて画像データから構造物、道路案内標識、交通信号、電光掲示板、看板、車両のいずれか一つを少なくとも含む対象物を識別し、識別した対象物から名称、形状、色、移動方向のいずれか一つを少なくとも含む経路案内情報要素を抽出し、制御部１２０に出力する処理部であり、文字認識部１１０ａを有する。文字認識部１１０ａは、文字認識データベース１０４ｃを用いて画像データから文字、記号、数字のいずれか一つを少なくとも抽出する処理部である。なお、経路案内情報抽出部１１０によって抽出された経路案内情報要素については、別途詳細に説明する。
【００６０】
画像合成部１１２は、画像処理部１０８によって画像処理を施された画像データと制御部１２０によって編集された経路案内情報を画像合成する処理部であり、合成画像データを画像表示部１０２に出力する。また、音声合成部１１４は、音声合成データベース１０４ｅを用いて経路案内情報を音声に合成する音声合成装置である。また、ＧＰＳインタフェース部１１６は、ＧＰＳ受信装置４から取得した車両の現在位置情報を示す測位データをデータ変換して、制御部１２０に入力するデータインタフェース処理部である。
【００６１】
制御部１２０は、経路案内装置１０の全体を制御する制御部であり、画像処理切替部１２０ａ、経路案内処理部１２０ｂ、経路設定部１２０ｃを有する。画像処理切替部１２０ａは、照明装置６のＯＮ／ＯＦＦ情報および／またはワイパ装置８のＯＮ／ＯＦＦ情報によって判定された車両の周囲の明暗、天候に応じて画像処理部１０８によって画像データに対して施される画像処理を切替える処理部である。
【００６２】
経路案内処理部１２０ｂは、経路案内情報要素から経路案内に使用する情報である経路案内情報を用いて経路案内を出力する処理部である。また、経路案内処理部１２０ｂは、テキストデータベース１０４ｄを用いて経路案内情報要素から経路案内情報をテキストに作成し、音声合成部１１４および音声合成データベース１０４ｅを用いてテキストを音声に合成して経路案内を出力する。また、経路案内処理部１２０ｂは、テキストデータベース１０４ｄを用いて経路案内情報をテキストで作成し、テキストを文字に表示して経路案内を出力する。また、経路案内処理部１２０ｂは、画像合成部１１２によって画像合成された画像データと経路案内情報を画像表示して経路案内を出力する。
【００６３】
経路設定部１２０ｃは、ＧＰＳ受信装置４からＧＰＳインタフェース部１１６を経由して取得した車両の測位データ、地図データベース１０４ａから取得した地図情報に基づいて車両の現在位置から目的地までの経路を設定する処理部である。
【００６４】
（３）コントラスト処理および鮮明化処理の具体例
次に、図３〜図６を参照して、図１に示す画像処理部１０８によってそれぞれコントラスト処理および鮮明化処理を施される前後の夜間の画像の一例および雨天の画像の一例について説明する。図３は、図１に示す画像処理部１０８によってコントラスト処理を施される前の夜間の画像の一例を示す図である。図４は、図１に示す画像処理部１０８によってコントラスト処理を施された後の夜間の画像の一例を示す図である。また、図５は、図１に示す画像処理部１０８によって鮮明化処理を施される前の雨天の画像の一例を示す図である。また、図６は、図１に示す画像処理部１０８によって鮮明化処理を施された後の雨天の画像の一例を示す図である。
【００６５】
図３に示すように、夜間は暗いため、ドライバは、車両の前照灯などの照明装置６を点灯し、その光で進行方向を映し出して走行する。照明装置６による光に制約されて、ドライバの視野は、狭くなり、特にドライバは、交差点や道路の分岐点での進路変更等の状況が把握しづらくなる。このような状況で撮影カメラ２が撮影した画像は、ドライバが車両の窓から見る風景と大差なく、経路案内として分かりにくい。そこで、図４に示すように、画像処理部１０８は、このような画像に対してコントラスト処理等の画像処理を施し、ドライバが交差点や道路の分岐点での進路変更等の状況を把握し易いようにする。また、画像処理切替部１２０ａは、画像処理部１０８によって施される画像処理を照明装置６のスイッチに連動して切替え制御する。
【００６６】
図５に示すように、雨天では雨粒が車両のウインドシールドガラスに付着するため、ドライバは、ワイパを動作させて走行する。雨粒によりドライバの視界はさえぎられ、ドライバの視野は狭くなり、特にドライバは、交差点や道路の分岐点での進路変更等の状況が把握しづらくなる。このような状況で撮影カメラ２が撮影した画像は、ドライバが車両の窓から見る風景と大差なく、経路案内として分かりにくい。そこで、図６に示すように、画像処理部１０８は、このような画像に対して鮮明化処理等の画像処理を施し、ドライバが交差点や道路の分岐点での進路変更等の状況を把握し易いようにする。また、画像処理切替部１２０ａは、画像処理部１０８によって施される画像処理をワイパ装置８のスイッチに連動して切替え制御する。
【００６７】
（４）画像認識により抽出された経路案内情報要素の具体例
次に、図７〜図９を参照して、図１に示す経路案内情報抽出部１１０が画像認識および／または文字認識により抽出した建物の特徴、文字情報、前方の車両の走行情報の一例について説明する。図７は、図１に示す経路案内情報抽出部１１０が画像認識および文字認識により抽出した建物の特徴の一例を示す図である。また、図８は、図１に示す経路案内情報抽出部１１０が画像認識および文字認識により抽出した文字情報の一例を示す図である。また、図９は、図１に示す経路案内情報抽出部１１０が画像認識により抽出した前方の車両の走行情報の一例を示す図である。
【００６８】
図７に示すように、撮影カメラ２は、交差点の向かい側に立っている“ＡＢＣＤＥ”という文字が描かれた建物の画像を撮影する。経路案内情報抽出部１１０は、画像処理部１０８によって画像処理を施された画像データから画像認識により建物の形状、色、また文字認識により“ＡＢＣＤＥ”という文字情報を経路案内情報要素として抽出し、経路案内処理部１２０ｂに出力する。経路案内処理部１２０ｂは、経路設定部１２０ｃによって設定された経路情報から目的地に到達するためには上記の“ＡＢＣＤＥ”の“建物”の“手前”の“交差点”を“左折”することが必要であることを認識し、「ＡＢＣＤＥの建物の手前の交差点を左折ください」、または「ＡＢＣＤＥの手前を左折ください」という経路案内情報のテキストを作成する。また、経路案内処理部１２０ｂは、音声合成部１１４が経路案内情報のテキストを音声合成し、音声出力部１０３が音声合成されたテキストを音声出力するよう制御する。また、画像表示部１０２が経路案内情報のテキストを文字表示するよう制御する。また、図７に示すように経路案内処理部１２０ｂは、画像合成部１１２が画像データと左折を示す矢印を経路案内として画像合成し、画像表示部１０２が画像表示するよう制御する。
【００６９】
また、図８に示すように、撮影カメラ２は、道路の左側に立っている道路案内標識の画像を撮影する。経路案内情報抽出部１１０は、画像処理部１０８によって画像処理された画像データから画像認識および文字認識により道路案内標識の“１６号杉田”、“戸塚”、“環状３号”等の文字情報に関する経路案内情報要素を抽出し、経路案内処理部１２０ｂに出力する。経路案内処理部１２０ｂは、経路設定部１２０ｃによって設定された経路情報から目的地に到達するためには“環状３号”を“１６号杉田”方向へ“左折”することが必要であることを認識し、「環状３号を１６号杉田方向へ左折ください」という経路案内情報のテキストを作成する。また、経路案内処理部１２０ｂは、音声合成部１１４が経路案内情報のテキストを音声合成し、音声出力部１０３が音声合成されたテキストを音声出力するよう制御する。また、画像表示部１０２が経路案内情報のテキストを文字表示するよう制御する。また、図８に示すように経路案内処理部１２０ｂは、画像合成部１１２が画像データと左折を示す矢印を経路案内として画像合成し、画像表示部１０２が画像表示するよう制御する。
【００７０】
また、図９に示すように、撮影カメラ２は、前方の車両が道路を左折している画像を撮影する。経路案内情報抽出部１１０は、画像処理部１０８によって画像処理された画像データから画像認識により“前方の車両”が“道路”を“左折”したという走行情報に関する経路案内情報要素を抽出し、経路案内処理部１２０ｂに出力する。経路案内処理部１２０ｂは、経路設定部１２０ｃによって設定された経路情報から目的地に到達するためには“前方の車両”が入った“道路”を“左折”することが必要であることを認識し、「前方の車両が入った道路を左折ください」という経路案内情報のテキストを音声合成し、音声出力部１０３が音声合成されたテキストを音声出力するよう制御する。また、画像表示部１０２が経路案内情報のテキストを文字表示するよう制御する。また、図９に示すように経路案内処理部１２０ｂは、画像合成部１１２が画像データと左折を示す矢印を経路案内として画像合成し、画像表示部１０２が画像表示するよう制御する。
【００７１】
（５）実写映像による経路案内手順
次に、図１０を参照して、図１に示す経路案内装置１０の実写映像による経路案内手順について説明する。図１０は、図１に示す経路案内装置１０の実写映像による経路案内手順を示すフローチャートである。ここで、実写映像による経路案内手順の説明に入る前に、経路案内装置１０の経路案内について説明する。まず、ドライバが経路案内装置１０を起動すると、経路案内装置１０は、通常は地図画像に基づいて経路案内を開始する。地図画像に基づく経路案内から実写映像に基づく経路案内への切替えは、ドライバが入力部１０１から選択することもできるし、また、車両が交差点や進入道路に近づいた場合に、制御部１２０が経路情報から自動的に行うこともでき、これらタイミングで次の処理が実行される。
【００７２】
同図に示すように、経路案内装置１０の撮影カメラ２は、車両の前方の景色を撮影する（ステップＳ１００１）。そして、カメラインタフェース部１０６は、撮影カメラ２から出力された画像信号をデジタルの画像データに変換した後（ステップＳ１００２）、画像表示部１０２に表示することができる動画像形式の画像データへ変換する（ステップＳ１００３）。そして、画像処理切替部１２０ａは、照明装置６のスイッチがＯＮか否かを調べる（ステップＳ１００４）。その結果、照明装置６のスイッチがＯＮである場合は（ステップＳ１００４肯定）、画像処理切替部１２０ａは、図４に示すように夜間走行であることを識別し、画像処理部１０８にカメラインタフェース部１０６から出力された画像データに対してコントラスト処理を実施させる（ステップＳ１００５）。
【００７３】
一方、照明装置６のスイッチがＯＮでない場合は（ステップＳ１００４否定）、画像処理切替部１２０ａは、さらにワイパ装置８のスイッチがＯＮであるか否かを調べる（ステップＳ１００６）。その結果、ワイパ装置８のスイッチがＯＮである場合は（ステップＳ１００６肯定）、画像処理切替部１２０ａは、図６に示すように雨天走行であることを識別し、画像処理部１０８にカメラインタフェース部１０６から出力された画像データに対して鮮明化処理を実施させる（ステップＳ１００７）。
【００７４】
一方、ワイパ装置８のスイッチがＯＮでない場合は（ステップＳ１００６否定）、経路案内情報抽出部１１０は、図７〜図９に示すように画像処理部１０８によって画像処理を施された画像データから経路案内情報要素を画像認識および／または文字認識により抽出する（ステップＳ１００８）。そして、経路案内処理部１２０ｂは、経路案内情報抽出部１１０によって抽出された経路案内情報要素から経路案内情報のテキストを作成する（ステップＳ１００９）。
【００７５】
さらに、音声合成部１１４は、経路案内処理部１２０ｂによって経路案内情報要素から編集された経路案内情報のテキストに基づき経路案内を音声合成し（ステップＳ１０１０）、音声出力部１０３は、経路案内を音声出力する（ステップＳ１０１１）。そして、画像表示部１０２は、経路案内情報のテキストに基づき経路案内を文字表示する（ステップＳ１０１２）。さらに、画像合成部１１４は、画像処理部１０８によって画像処理を施された画像データと経路案内処理部１２０ｂによって経路案内情報要素から作成された経路案内情報を画像合成する（ステップＳ１０１３）。そして、画像表示部１０２は、経路案内を合成画像で表示する（ステップＳ１０１４）。このように、本手順に依れば夜間や雨天の走行時のように車両の周囲が見えにくい状況でも合成音声、文字、合成画像によってドライバが見る車窓の景色から容易に理解できる経路案内を出力することができる。
【００７６】
（６）画像認識による経路案内情報要素の抽出手順
次に、図１１を参照して、図１０に示す経路案内情報要素の抽出手順、ステップＳ１００８をさらに詳細に説明する。図１１は、図１０に示す経路案内情報要素の抽出手順、ステップＳ１００８をさらに詳細に示すフローチャートである。
【００７７】
同図に示すように、経路案内情報抽出部１１０は、画像処理部１０８から画像データを入力し（ステップＳ１１０１）、画像データから識別すべき対象物を識別する（ステップＳ１１０２）。そして、車両の前方に特徴のある建物などのランドマークがあるか否かを調べる（ステップＳ１１０３）。その結果、車両の前方に特徴のある建物などのランドマークがある場合は（ステップＳ１１０３肯定）、経路案内情報抽出部１１０は、図７で示すようにランドマークから形状、色、文字、記号、数字などの経路案内情報要素を抽出する（ステップＳ１１０４）。なお、経路案内情報抽出部１１０は、経路案内処理部１２０ｂと連携し、経路情報から画像認識すべきランドマークを予め識別し、識別したランドマークに近づいた時に画像認識を開始する。
【００７８】
一方、車両の前方に特徴のある建物などのランドマークがない場合は（ステップＳ１１０３否定）、経路案内情報抽出部１１０は、さらに道路案内標識などがあるか否かを調べる（ステップＳ１１０５）。その結果、道路案内標識などがある場合は（ステップＳ１１０５肯定）、経路案内情報抽出部１１０は、図８に示すように道路案内標識から文字、記号、数字などの経路案内情報要素を抽出する（ステップＳ１１０６）。
【００７９】
一方、道路案内標識などがない場合は（ステップＳ１１０５否定）、経路案内情報抽出部１１０は、さらに前方に交差点や進入道路に進入する車両があるか否かを調べる（ステップＳ１１０７）。その結果、前方に交差点や進入道路に進入する車両がある場合は（ステップＳ１１０７肯定）、図９に示すように前方の車両の走行情報を抽出する（ステップＳ１１０８）。一方、前方に交差点や進入道路に進入する車両がない場合は（ステップＳ１１０７否定）、ステップＳ１１０１〜ステップＳ１１０８で抽出した経路案内情報要素を経路案内処理部１２０ｂに出力する（ステップＳ１１０９）。以上のように、本手順に依れば、経路案内情報抽出部１１０は、画像処理部１０８によって画像処理を施された画像データから経路案内情報要素を画像認識および／または文字認識により抽出し、経路案内処理部１２０ｂに出力することができる。
【００８０】
上述してきたように、本実施例では、撮影カメラ２は、車両の周辺の画像データを取得し、経路案内情報抽出部１１０は、画像データから経路案内の指標として使用可能な情報要素である経路案内情報要素を抽出し、経路案内処理部１２０ｂは、経路案内情報要素から経路案内に使用する情報である経路案内情報を作成し、経路案内情報を用いて経路案内を出力することとしたので、ドライバが見る車窓の景色から容易に理解できる。
【００８１】
また、画像認識データベース１０４ｂは、画像データから識別すべき対象物と対象物に関する画像パターンデータ、形状パターンデータ、色パターンデータおよび移動パターンデータとを関連付けて記憶し、経路案内情報抽出部１１０は、画像データから構造物、道路案内標識、交通信号、電光掲示板、看板、車両のいずれか一つを少なくとも含む対象物を識別し、識別した対象物から名称、形状、色、移動方向のいずれか一つを少なくとも含む経路案内情報要素を抽出することとしたので、ドライバが見る車窓の景色から容易に理解できる。
【００８２】
また、照明装置６および／またはワイパ装置８は、車両の周囲の明暗、天候を判定し、画像処理部１０８は、画像データに対してコントラスト処理、鮮明化処理のいずれか一つを少なくとも含む画像処理を施し、画像処理切替部１２０ａは、車両の周囲の明暗、天候に応じて画像データに対して施される画像処理を切替えることとしたので、夜間走行時および／または雨天走行時のように画像データが鮮明でない場合でもドライバが見る車窓の景色から容易に理解できる。
【００８３】
また、照明装置６および／またはワイパ装置８は、照明装置のＯＮ／ＯＦＦ情報および／またはワイパ装置のＯＮ／ＯＦＦ情報を使用して車両の周囲の明暗、天候を判定することとしたので、車両の周囲の明暗、天候を容易に判定することができ、もって夜間走行時および／または雨天走行時のように画像データが鮮明でない場合でもドライバが見る車窓の景色から容易に理解できる。
【００８４】
また、文字認識データベース１０４ｃは、文字、記号、数字をそれぞれ文字パターンデータ、記号パターンデータ、数字パターンデータと関連付けて記憶し、経路案内情報抽出部１１０は、画像データから文字、記号、数字のいずれか一つを少なくとも抽出し、画像データから文字、記号、数字のいずれか一つを少なくとも抽出することとしたので、ドライバが見る車窓の景色から容易に理解できる経路案内情報要素を抽出することができる。
【００８５】
また、経路案内処理部１２０ｂは、経路案内情報から音声合成データを作成して経路案内を出力するよう制御することとしたので、ドライバが見る車窓の景色から容易に理解できる。
【００８６】
また、経路案内処理部１２０ｂは、経路案内情報を文字表示して経路案内を出力するよう制御することとしたので、ドライバが見る車窓の景色から容易に理解できる。
【００８７】
また、経路案内処理部１２０ｂは、画像処理を施された画像データと経路案内情報を画像合成し、画像合成された画像データと経路案内情報を画像表示して経路案内を出力することとしたので、ドライバが見る車窓の景色から容易に理解できる。
【００８８】
さて、これまで本発明の実施例について説明したが、本発明は上述した実施例以外にも、上記特許請求の範囲に記載した技術的思想の範囲内において種々の異なる実施例にて実施されてもよいものである。
【００８９】
例えば、本実施例では、経路案内装置１０は、平面地図画像や鳥瞰地図画像などの地図画像による経路案内と実写映像による経路案内を切替える場合について説明したが、本発明はそれに限定されるものではなく、実写映像単独により経路案内する場合や、実写映像を主画面、地図画像を副画面または実写映像を副画面、地図画像を主画面に合成画像表示して経路案内する場合に適用することができる。
【００９０】
また、本実施例では、画像処理切替部１２０ａは、照明装置６および／またはワイパ装置８を用いて車両の周囲の明暗、天候を判定する場合について説明したが、本発明はそれに限定されるものではなく、他の判定手段、例えば、画像データ、光センサのセンサ出力、濡れセンサのセンサ出力、タイマの時刻を用いて車両の周囲の明暗、天候を判定する場合に適用することができる。
【００９１】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００９２】
また、図示した各装置の各構成要素は機能概念的なものであり、必ずしも物理的に図示の如く構成されていることを要しない。すなわち、各装置（経路案内装置）の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００９３】
なお、本実施例で説明した経路案内方法は、あらかじめ用意されたプログラムをパーソナル・コンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【産業上の利用可能性】
【００９４】
以上のように、本発明にかかる経路案内装置は、移動体の経路案内装置に有用であり、特に、車両の経路案内装置に適している。
【図面の簡単な説明】
【００９５】
【図１】本実施例に係る経路案内システムの構成を示す機能ブロック図である。
【図２】図１に示す記憶部が記憶する画像認識データベースの一例を示す図である。
【図３】図１に示す画像処理部によってコントラスト処理を施される前の夜間の画像の一例を示す図である。
【図４】図１に示す画像処理部によってコントラスト処理を施された後の夜間の画像の一例を示す図である。
【図５】図１に示す画像処理部によって鮮明化処理を施される前の雨天の画像の一例を示す図である。
【図６】図１に示す画像処理部によって鮮明化処理を施された後の雨天の画像の一例を示す図である。
【図７】図１に示す経路案内情報抽出部が画像認識および文字認識により抽出した建物の特徴の一例を示す図である。
【図８】図１に示す経路案内情報抽出部が画像認識および文字認識により抽出した文字情報の一例を示す図である。
【図９】図１に示す経路案内情報抽出部が画像認識により抽出した前方の車両の走行情報の一例を示す図である。
【図１０】図１に示す経路案内装置の実写映像による経路案内手順を示すフローチャートである。
【図１１】図１０に示す経路案内情報要素の抽出手順をさらに詳細に示すフローチャートである。
【符号の説明】
【００９６】
２    撮影カメラ
４    ＧＰＳ受信装置
６    照明装置
８    ワイパ装置
１０    経路案内装置
１０１    入力部
１０２    画像表示部
１０３    音声出力部
１０４    記憶部
１０４ａ    地図データベース
１０４ｂ    画像認識データベース
１０４ｃ    文字認識データベース
１０４ｄ    テキストデータベース
１０４ｅ    音声合成データベース
１０６    カメラインタフェース部
１０８    画像処理部
１１０    経路案内情報抽出部
１１０ａ    文字認識部
１１２    画像合成部
１１４    音声合成部
１１６    ＧＰＳインタフェース部
１１８    照明／ワイパ装置インタフェース部
１２０    制御部
１２０ａ    画像処理切替部
１２０ｂ    経路案内処理部
１２０ｃ    経路設定部
【図１】
2005249504.tif 000003
【図２】
2005249504.tif 000004
【図３】
2005249504.tif 000005
【図４】
2005249504.tif 000006
【図５】
2005249504.tif 000007
【図６】
2005249504.tif 000008
【図７】
2005249504.tif 000009
【図８】
2005249504.tif 000010
【図９】
2005249504.tif 000011
【図１０】
2005249504.tif 000012
【図１１】
2005249504.tif 000013